(57)【要約】【課題】 本発明は、コアビットおよびその駆動用モーターを支持する枠体が、同枠体を昇降させるハンドル操作のための手を離しても落下しないように、上記ハンドルの回転を拘束しうるストッパー機能を備えるようにしたコンクリートスラブくり抜き装置を提供することを課題とする。【解決手段】  台座１上に立設された柱状体２の一側におけるラック６に係合するように枠体３に設けられたピニオンの水平支軸７ａを、ハンドル８の操作により回動させて枠体３を昇降させる際に、ハンドル８から手を離した場合、モーター４やコアビット５の重量によって枠体３が上方位置から落下するのを防止するため、ハンドル８に柱状体２の側部へ係合しるうストッパー11が設けられる。【選択図】          図１
2005335182.tif 000002
【特許請求の範囲】
【請求項１】
台座上に立設された柱状体と、同柱状体に案内されて昇降しうるように設けられた枠体と、同枠体に支持されたモーターと、同モーターにより駆動され鉛直軸線を中心として回動しうるコアビットと、上記柱状体の一側に沿い上下方向に設けられたラックと、同ラックに噛み合うようにして上記枠体に水平支軸を介し装着されたピニオンと、同ピニオンの回転駆動により上記枠体を昇降させるべく同ピニオンの水平支軸を回転操作するためのハンドルとを備え、同ハンドルの拘束により上記枠体の降下を抑制すべく同ハンドルに上記柱状体へ係合しうるストッパーが設けられたことを特徴とする、コンクリートスラブくり抜き装置。
【請求項２】
上記ハンドルが上記ピニオンの水平支軸の先端部に装着された棒状ハンドルとして設けられて、上記ストッパーが上記柱状体の一側に係合すべく上記棒状ハンドルの一端に折り曲げ可能に枢着されていることを特徴とする、請求項１に記載のコンクリートスラブくり抜き装置。
【請求項３】
上記ストッパーが、上記棒状ハンドルの一端に枢着された中心軸を内蔵する筒体と、同筒体の内部で上記中心軸に沿い案内されてバネにより上記ハンドル端部における受面へ押接される可動子とを備えて構成されていることを特徴とする、請求項２に記載のコンクリートスラブくり抜き装置。
【請求項４】
上記ハンドルが上記ピニオンの水平支軸の先端部に装着された棒状ハンドルとして設けられて、上記ストッパーが上記棒状ハンドルの一端に交叉して設けられた屈曲部材として構成され、同屈曲部材の姿勢を、上記柱状体へ当接させる位置と、その当接を解除する位置とに切換えるべく、上記棒状ハンドルが、その中心軸線の回りに回動しうるように上記ピニオンの水平支軸の先端部横穴に挿通されるとともに、同棒状ハンドルを上記水平支軸に締付けるネジ止め手段が設けられたことを特徴とする、請求項１に記載のコンクリートスラブくり抜き装置。
【発明の詳細な説明】
【技術分野】
【０００１】
本発明は、建造物のコンクリート製床部のごときコンクリートスラブについて、コアビットの回転により円形の貫通孔を形成するための装置に関する。
【背景技術】
【０００２】
従来のコンクリートスラブくり抜き装置としては図４（正面図）に示すようなものがあり、台座１に立設された柱状体２に案内されて昇降しうる枠体３が設けられるとともに、同枠体３に支持された竪型のモーター４により鉛直軸線を中心として回動しうる円筒状のコアビット５が設けられており、同コアビット５は、その周壁下縁に沿ってダイヤモンド粉末入りカッター部５ａを備えている。
そして、枠体３の昇降操作は、柱状体２の一側に沿って上下方向に設けられたラック６に噛み合うピニオンの水平支軸７ａを、同支軸７ａに直交するグリップ８ａ付き棒状ハンドル８の操作により回転させるようにして行われ、通常はハンドル８を反時計回りに回転操作することによって枠体３を上昇させる構成が採用されている。
【０００３】
このような装置を用いてコンクリートスラブ９に円孔をくり抜く際には、予めハンドル８の反時計回りの回転操作によりコアビット５を枠体３と共にやや上昇させた状態で、本装置をコンクリートスラブ９の所要位置に据え付けてから、取付けボルト10により固定した後、モーター４を作動させる操作が行われるが、コアビット５を初期段階においてコンクリートスラブ９上に適切に据え付ける作業には、かなりの熟練を必要としている。すなわち、コアビット５は、初期段階でハンドル８の操作により上昇した位置に保たれるが、コンクリートスラブ９上に据え付ける際にハンドル８から手を離すと、モーター４やコアビット５の重量によりハンドル８が時計回りに逆回転して、コアビット５が落下し、コンクリートスラブ９に衝突してカッター部５ａの破損を招く恐れがある。
【特許文献１】特開平１１−０９０９２２号公報
【発明の開示】
【発明が解決しようとする課題】
【０００４】
本発明は、コアビットおよびその駆動用モーターを支持する枠体が、同枠体を昇降させるハンドル操作のための手を離しても落下しないように、上記ハンドルの回転を拘束しうるストッパー機能を備えるようにしたコンクリートスラブくり抜き装置を提供することを課題とする。
【課題を解決するための手段】
【０００５】
前述の課題を解決するため、本発明のコンクリートスラブくり抜き装置は、台座上に立設された柱状体と、同柱状体に案内されて昇降しうるように設けられた枠体と、同枠体に支持されたモーターと、同モーターにより駆動され鉛直軸線を中心として回動しうるコアビットと、上記柱状体の一側に沿い上下方向に設けられたラックと、同ラックに噛み合うようにして上記枠体に水平支軸を介し装着されたピニオンと、同ピニオンの回転駆動により上記枠体を昇降させるべく同ピニオンの水平支軸を回転操作するためのハンドルとを備え、同ハンドルの拘束により上記枠体の降下を抑制すべく同ハンドルに上記柱状体へ係合しうるストッパーが設けられたことを特徴としている。
【０００６】
また、本発明のコンクリートスラブくり抜き装置は、上記ハンドルが上記ピニオンの水平支軸の先端部に装着された棒状ハンドルとして設けられて、上記ストッパーが上記柱状体の一側に係合すべく上記棒状ハンドルの一端に折り曲げ可能に枢着されていることを特徴としている。
【０００７】
さらに、本発明のコンクリートスラブくり抜き装置は、上記ストッパーが、上記棒状ハンドルの一端に枢着された中心軸を内蔵する筒体と、同筒体の内部で上記中心軸に沿い案内されてバネにより上記ハンドル端部における受面へ押接される可動子とを備えて構成されていることを特徴としている。
【０００８】
また、本発明のコンクリートスラブくり抜き装置は、上記ハンドルが上記ピニオンの水平支軸の先端部に装着された棒状ハンドルとして設けられて、上記ストッパーが上記棒状ハンドルの一端に交叉して設けられた屈曲部材として構成され、同屈曲部材の姿勢を、上記柱状体へ当接させる位置と、その当接を解除する位置とに切換えるべく、上記棒状ハンドルが、その中心軸線の回りに回動しうるように上記ピニオンの水平支軸の先端部横穴に挿通されるとともに、同棒状ハンドルを上記水平支軸に締付けるネジ止め手段が設けられたことを特徴としている。
【発明の効果】
【０００９】
上述の本発明のコンクリートスラブくり抜き装置では、上記ハンドルの回転操作によりコアビットおよびその駆動用モーターを支持する枠体を柱状体に沿い適宜の高さに上昇させた状態で、同装置をコンクリートスラブ上の所要位置に据え付ける際に、上記ハンドルに設けられているストッパーを上記柱状体に係合させておくことで、同ハンドルの逆回転を防止することができ、これにより上記コアビットが上記枠体と共に落下してコンクリートスラブ上に激突するのを十分に防止することができる。
【００１０】
また、上記ハンドルが上記ピニオンの水平支軸の先端部に装着された棒状ハンドルとして設けられて、上記ストッパーが上記棒状ハンドルの一端に折り曲げ可能に枢着されていると、上記装置のコンクリートスラブ上への据付け時に上記ストッパーを上記柱状体の側部へ係合する状態に折り曲げておくという簡便な操作で、上記コアビット等の重量による上記枠体の上記柱状体に沿う落下を防止することができ、これにより上記コアビット等の損傷を的確に防止することができる。
【００１１】
さらに、上記ストッパーが、上記棒状ハンドルの一端に枢着された中心軸を内蔵する筒体を備えて、同筒体の内部で上記中心軸に沿う可動子をバネにより上記ハンドル端部における受面へ押接するように構成されていると、上記ストッパーの折り曲げ操作が、上記バネによる可動子の上記ハンドル端部における受面への押圧作用に伴い安定よく行われ、これにより上記ストッパーによる上記ハンドルの拘束が的確に行われるようになる。
【００１２】
また、上記棒状ハンドルが、その一端に同棒状ハンドルと交叉する方向に屈曲した屈曲部材としてのストッパーを有するとともに、前記ピニオンの水平支軸先端部の横穴に挿通されネジ止めされて、同棒状ハンドルの中心軸線回りの回動位置を調整可能に設けられている場合も、上記ストッパーを用いる際には、同ストッパーとしての屈曲部材が前記柱状体の側部へ係合するように上記棒状ハンドルの中心軸線回りの回動位置を調整して、上記ストッパーによる上記ハンドルの回動を拘束する操作が容易に行われるようになる。
【発明を実施するための最良の形態】
【００１３】
コアビットの内部には、同コアビットの回動に伴いくり抜かれたコンクリートの円柱塊を支持する条体が設けられるが、同円柱塊は、一般には大重量のものとなるので、同円柱塊を支持する条体としては、チェーンブロックに設けられる高強度の懸吊用チェーンなどが採用される。
【実施例１】
【００１４】
図１は本発明の実施例１としてのコンクリートスラブくり抜き装置を示す正面図、図２は図１の装置の要部を断面で示す平面図である。
図１，２に示すように、台座１上に立設された柱状体２には、同柱状体２に沿って昇降しうる枠体３が設けられている。
【００１５】
そして、枠体３には、柱状体２の一側に沿い上下方向に設けられたラック６に噛み合うピニオン７が設けられていて、同ピニオン７を棒状ハンドル８で回転させることにより枠体３の昇降が行われるようになっている。
すなわち、ピニオン７の水平支軸７ａに同水平支軸７ａと直角をなすハンドル８が設けられていて、同ハンドル８の回動操作に伴い枠体３の昇降作用が行われ、ハンドル８を反時計回りに回転させることにより枠体３が上昇するように構成されている。
【００１６】
また、枠体３には、竪型モーター４と、同モーター４により鉛直中心軸線のまわりに回転駆動される円筒状コアビット５とが設けられており、同コアッビト５の周壁下縁にはダイヤモンド粉末入りカッター部５ａが装着されている。
【００１７】
さらに、本装置では、ハンドル８の一端には通常のグリップ８ａが設けられているが、同ハンドル８の他端には、同ハンドル８の拘束により枠体３の上方位置からの降下を抑制できるように、柱状体２の側部へ支軸13を介し折り曲げられて当接しうるストッパー11が設けられている。
【００１８】
すなわち、ストッパー11は、ハンドル８の一端に支軸13により枢着された中心軸12を内蔵する筒体15と、同筒体15の内部で中心軸12に沿い案内されてバネ14によりハンドル８の端部における受面８ｂへ押接される可動子16とを備えて構成されている。
【００１９】
上述の実施例１のコンクリートスラブくり抜き装置では、ハンドル８の回転操作によりコアビット５およびその駆動用モーター４を支持する枠体３を柱状体２に沿い適宜の高さに上昇させた状態で、同装置をコンクリートスラブ９上の所要位置にボルト10によって据え付ける際に、ハンドル８に設けられているストッパー11を柱状体２の側部に係合させておくことで、同ハンドル８の逆回転を防止することができ、これによりコアビット５が枠体３と共に落下してコンクリートスラブ９上に激突するのを十分に防止することができる。
【００２０】
また、ハンドル８がピニオン７の水平支軸の先端部に装着された棒状ハンドルとして設けられて、ストッパー11が棒状ハンドル８の一端に支軸13を介し折り曲げ可能に枢着されているので、本装置のコンクリートスラブ９上への据付け時にストッパー11を柱状体２の側部へ係合する状態に折り曲げておくという簡便な操作で、コアビット５等の重量による枠体３の柱状体２に沿う落下を防止することができ、このようにしてコアビット５等の損傷を的確に防止することができる。
【００２１】
さらに、ストッパー11が、棒状ハンドル８の一端に支軸13を介し枢着された中心軸12を内蔵する筒体15を備えて、同筒体15の内部で中心軸12に沿う可動子16をバネ14によりハンドル８の端部における受面８ｂへ押接するように構成されているので、ストッパー11の折り曲げ操作が、バネ14による可動子16のハンドル端部受面８ｂへの押圧作用に伴い安定よく行われ、これによりストッパー11によるハンドル８の拘束が的確に行われるようになる。
【実施例２】
【００２２】
図３は本発明の実施例２としてのコンクリートスラブくり抜き装置を、図２に対応させて示す平面図である。
この実施例２の場合も、台座１上に立設された柱状体２には、同柱状体２に沿って昇降しうる枠体３が設けられている。
【００２３】
そして、枠体３には、柱状体２の一側に沿い上下方向に設けられたラック６に噛み合うピニオン７が設けられていて、同ピニオン７を棒状ハンドル８で回転させることにより枠体３の昇降が行われるようになっている。
すなわち、ピニオン７の水平支軸７ａに同水平支軸７ａと直角をなすハンドル８が設けられていて、同ハンドル８の回動操作に伴い枠体３の昇降作用が行われ、ハンドル８を反時計回りに回転させることにより枠体３が上昇するように構成されている。
また、枠体３には、竪型モーター４と、同モーター４により鉛直中心軸線のまわりに回転駆動される円筒状コアビット５とが設けられている。
【００２４】
この実施例２では、ハンドル８がピニオン７の水平支軸７ａの先端部における横穴に挿通されて、同ハンドル８の中心軸線の回りに回動しうるように設けられている。そして、水平支軸７ａへのハンドル８の固着は、ネジ止め手段16により行われる。
【００２５】
また本実施例では、棒状ハンドル８の操作を拘束しうるストッパー11が、同ハンドル８の一端に交叉して設けられた屈曲部材８ｃとして構成され、ハンドル８の中心軸線まわりの回動調節により柱状体２の側部への当接が行われるようになっている。
また、屈曲部材８ｃの外周面には、同軸的に回転しうる円筒状グリップ18が設けられて、止めネジ17により屈曲部材８ｃに枢着されている。
【００２６】
上述の実施例２の装置では、棒状ハンドル８が、その一端に同棒状ハンドル８と交叉する方向に屈曲した屈曲部材８ｃとしてのストッパー11を有するとともに、ピニオン７の水平支軸７ａの先端部の横穴に挿通されネジ止めされて、同棒状ハンドル８の中心軸線回りの回動位置を調整可能に設けられているので、ストッパー11を用いる際には、同ストッパー11としての屈曲部材８ｃが柱状体２の側部へ係合するように棒状ハンドル８の中心軸線回りの回動位置を調整して、ストッパー11によるハンドル８の回動を拘束する操作が容易に行われるようになる。
【産業上の利用可能性】
【００２７】
本発明のコンクリートスラブくり抜き装置は、建造物のコンクリート製床部のみならず、同建造物のコンクリート製の壁部にエアコン用ダクトを貫通させるような場合にも、同壁部のコンクリートスラブくり抜きのために使用することができる。
【図面の簡単な説明】
【００２８】
【図１】本発明の実施例１としてのコンクリートスラブくり抜き装置の正面図である。
【図２】図１の装置の平面図である。
【図３】本発明の実施例２としてのコンクリートスラブくり抜き装置の平面図である。
【図４】従来のコンクリートスラブくり抜き装置の正面図である。
【符号の説明】
【００２９】
１  台座
２  柱状体
３  枠体
４  モーター
５  コアビット
５ａ  カッター部
６  ラック
７  ピニオン
７ａ  水平支軸
８  棒状ハンドル
８ａ  グリップ
８ｂ  受面
８ｃ  屈曲部材
９  コンクリートスラブ
10  取付けボルト
11 ストッパー
12  中心軸
13  支軸
14  バネ
15  筒体
16  可動子
【図１】
2005335182.tif 000003
【図２】
2005335182.tif 000004
【図３】
2005335182.tif 000005
【図４】
2005335182.tif 000006